(57)【特許請求の範囲】
【請求項１】
カット紙及びロール紙を選択的に記録材搬送方向にその外周面に沿って搬送する駆動ローラと、
該駆動ローラの外周面に圧接するカット紙用コロと、
該カット紙用コロよりも前記記録材搬送方向上流側に配置された、前記駆動ローラの外周面に接離するロール紙用コロと、
前記ロール紙用コロを前記駆動ローラの外周面に接離させる切替部材とを備え、
前記ロール紙用コロは、ロール紙を搬送するときのみに該駆動ローラの外周面とでロール紙を挟持するように前記切替部材によって切り替えられるものであり、
前記切替部材は、カット紙を搬送するときには、前記ロール紙用コロを前記駆動ローラの外周面から離して該ロール紙用コロとでロール紙の先端縁を挟持するものであることを特徴とする給紙装置。
【請求項２】
前記切替部材は、該切替部材のうちロール紙に対向する部分に粗面が形成されたものであることを特徴とする請求項１に記載の給紙装置。
【請求項３】
前記ロール紙用コロを前記切替部材に弾性的に偏倚する手段を備えたことを特徴とする請求項１又は２に記載の給紙装置。
【請求項４】
前記駆動ローラは、円周方向に延びる溝が形成されたものであり、
前記切替部材は、前記溝に出没する櫛歯部を有するものであり、
ロール紙を搬送するときには前記櫛歯部を前記溝に嵌入させる一方、カット紙を搬送するときには前記櫛歯部を前記駆動ローラの外周よりも外側に位置させることを特徴とする請求項１，２，又は３に記載の給紙装置。
【請求項５】
前記ロール紙用コロは、該カット紙用コロよりも前記記録材搬送方向上流側に複数個配置されたものであり、
前記切替部材は、これら複数個のロール紙用コロを選択的に前記駆動ローラの外周面に接離させるものであることを特徴とする請求項１から４までのうちのいずれか一項に記載の給紙装置。
【発明の詳細な説明】
【０００１】
【発明の目的】
【産業上の利用分野】
この発明は、複写機、プロッタなどの画像形成装置、就中、これに用いる給紙装置に関するものである。
【０００２】
上記のような周知の画像形成装置では、記録材としてロール紙と所定サイズのカット紙を適宜選択的に使用するものがすでに提案されている。そして、このような装置では最終搬送路が１個のものと、２個以上設けてあるものがあることは良く知られているとおりである。これらについて「図７」、「図８」によって略述する。
【０００３】
「図７」、「図８」は画像形成装置の記録材を搬送路に搬送する部位のみを示した概略側面図であって、「図７」に示す装置では、紙面に垂直方向に軸線を有する大径ローラ１にそってカット紙２２またはロール紙１１が矢印ＡまたはＢ方向に搬送され、一つの搬送路２６に沿って進行し、さらに前記大径ローラ１に沿って搬送されて所定の画像形成位置に至るものとする。
【０００４】
「図８」はカット紙とロール紙とを格別に走行させるようにしたもので、この装置では、カット紙２２の搬送路２６と、ロール紙１１の搬送路２７が格別に形成してあり、これら搬送路は大径ローラ１に沿って進行する位置で合体しているものとする。また、搬送路２７適所には駆動源２５によって駆動されるローラ対３（ａ）、３（ｂ）が配設してあり、ロール紙不使用時にはその先端を把持して次の発動に備えるようになっている。
【０００５】
ところで、この種の装置で記録材を供給する際には、搬送中、斜行しないように、最初に位置合わせをする必要があるが、上記「図７」に示すような装置では、カット紙使用後、ロール紙を使用する場合には、その都度、先端部分を引き出して、位置合わせをする必要があり、カット紙とロール紙とを屡々交替使用するような場合には著しく作業性が低下することを免れない。
【０００６】
また、上記の複数個の搬送路を具備する装置では、搬送路に記録材を搬送するための搬送ローラ対を設けることが必須となり、そのための駆動手段が必要となって構成が複雑大型化し、コストアップを招来すると云う問題がある。
【０００７】
本発明はこのような事態に対処すべくなされたものであって、プロッタなどの画像形成装置において、カット紙とロール紙とを選択的に搬送可能な、構成が簡単でコスト的にも有利な給紙装置を提供することを目的とするものである。
【０００８】
【発明の構成】
【課題を解決する技術手段、その作用】
上記の目的を達成するため、駆動ローラと、これに当接するカット紙用コロとロール紙用コロとをそなえ、前記駆動ローラと前記カット紙用コロとによって形成されるカット紙用通路と、前記駆動ローラと前記ロール紙用コロとによって形成されるロール紙用通路と、前記両通路を選択的に切り替える切替部材を具備してなることを特徴とする画像形成装置の給紙装置（１）、または、
上記（１）のものにおいて、切替部材でカット紙用通路を選択したとき、該切替部材とロール紙用コロとが、後続するロール紙先端縁を保持する手段を形成することを特徴とする画像形成装置の給紙装置（２）、または、
上記（２）のものにおいて、後続ロール紙の先端縁を保持する切替部材のロール紙に対向する面が粗面に形成されていることを特徴とする画像形成装置の給紙装置（３）、または、
上記（２）または（３）のものにおいて、ロール紙用コロを切替部材方向に弾性的に偏倚する手段を具備することを特徴とする画像形成装置の給紙装置（４）、または、
上記（１）乃至（４）のいずれかのものにおいて、ロール紙用コロを複数個もうけ、複数個のロール紙を選択的に搬送する手段を備えた「請求項１」乃至「請求項４」のいずれか記載の画像形成装置の給紙装置（５）である。
【０００９】
このように構成することによって、簡単な構成、低コストで、カット紙とロール紙とを選択的に画像形成部位に搬送できる画像形成装置の給紙装置を提供できる。
【００１０】
【実施例の説明】
「図１」は本発明を適用した、プロッタの給紙部のみを示す要部の斜視図で、ロール紙１１乃至はカバー９の上面に載置したカット紙などの記録材が、図示右下方向から大径ローラ１の下方に供給され、該ローラ１の背面に沿って進行してその上側から右下方向に進行して、不図示の画像形成ユニットが配設してある画像形成部位に至るものとする。前記大径ローラ１の周辺には、供給された記録材を規制案内する手段が複数個（図示の場合４個）設けてあって、以下これについて説明する。
【００１１】
「図２」は搬送された記録材を大径ローラ１の周辺に沿って案内する手段を示す側面図である。搬送用の大径ローラ１にカット紙搬送用のコロ２、記録材搬送方向に見て該コロ２の上流側にロール紙搬送用のコロ３が配設してある。前記コロ２は装置のフレームなど不動部適所に揺動可能に配置したコロホルダ４に取着してあり、ばね５によって該コロ２は大径ローラ１に圧接している。また、前記コロ３は、ロール紙用の案内板８に取着した枢軸２９によって揺動自在に支持されており、ばね７によって図示時計方向に回動習性を付与されたコロ台６に取着されてこれまた大径ローラ１に圧接している。前記コロ台６は、また、案内板８から案内されるロール紙を大径ローラ１とコロ３のニップ部に案内する。なお、前記各コロ２、３の近傍には符号１６、１７で示す記録材検知センサが配置してある。
【００１２】
前記大径ローラ１とロール紙用コロ３の当接ニップ部には、該コロ３の軸線方向長さよりも小さい幅の溝１８が円周方向に形成してある（「図１」、「図３」参照）。また、装置本体側に設けたロール紙案内板８に配した軸２８に切替手段３１によって記録材搬送モードを変換できるように揺動可能とした切替板１０に形成した櫛歯１９が前記溝１８に出没自在に嵌合している。
【００１３】
前記切替板１０及び櫛歯部１９は、後述するように、カット紙搬送モードの場合には大径ローラ１外周よりも外側にあり、その上面とガイド１２との間に搬送路２６を形成してカット紙２２を搬送できるように、また、ロール紙搬送モードの場合には大径ローラ１の溝１８に先端櫛歯部１９が嵌入し、その下面とガイド８上面との間にロール紙１１の通過する通路２７が形成されるものとする。
【００１４】
記録材搬送モードが設定されて、所定の記録材が供給され、これがセンサ１６または１７によって検知されると、給紙命令が駆動モータ３０に伝達されて大径ローラ１が駆動され、これによって記録材が画像形成ユニット１４へ搬送され、これがセンサ１５によって記録材先端位置、幅が検知されて画像形成可能状態となり、ついで作画指令によって画像形成作業が行われ、作業の終了した部分はさらに進行して排紙ローラ対１３（ａ）、１３（ｂ）によって機外に排出されるものとする。
【００１５】
「図３」は大径ローラ１の溝１８の存在する部位と、ロール紙用のコロ３近傍部分を示す詳細図である。既述のように、大径ローラ１にロール紙用の従動コロ３が当接しており、この当接部位において、大径ローラ１には、コロ３の軸線方向長さよりも小さい巾をそなえた溝１８が円周方向に形成してある。
【００１６】
また、該溝１８には、揺動可能に配設された切替板１０の先端縁に設けた櫛歯部１９が緩く嵌入している。この櫛歯部１９の裏面にはブラスト処理またはラッピングフィルムなどの高摩擦部材２０が配設してあり、更に、前記コロ３は板ばね２１によってロール紙待機時にその先端部分を大径ローラに偏倚している。
【００１７】
「図４」、「図５」によってカット紙給紙モード、ロール紙給紙モードについて説明する。「図４」はカット紙給紙モードを示す要部側面図であって、このために、切替部材３１（「図１」参照）をカット紙モード側に切り替えることによって、切替板１０が「図４」でみて反時計方向に回動して同図図示の位置をとり、これによって櫛歯部１９は大径ローラ１の溝１８からはずれ、また、コロ台６もばね７の作用に抗して反時計方向に回動して、切替板１０上面とカバー１２下面との間にカット紙通路２６が形成される。
【００１８】
この場合、ロール紙１１が既にセットされているときには、前記通路２６を形成する操作を行う前にカット紙給紙センサ１６がオフする位置へロール紙１１の先端を退避させる操作を行うものとする。
【００２０】
この退避動作終了後、前述のカット紙通路２６形成を行うと、前記切替板１０の回動、従ってその櫛歯部１９も回動するので、通路２６の形成とともに、所定位置に退避しているロール紙線端部は、該櫛歯部１９の裏面高摩擦部材２１と、これに当接する方向にばねなどで偏倚されているコロ３によって挟持されて、その位置を保持することができる。
【００２１】
この状態で矢印Ａ方向にカット紙を供給することによってカット紙センサ１６をオンして記録材搬送シーケンスが開始されることになる。
【００２２】
「図５」はロール紙給紙モードを示す要部側面図である。切替部材３１をロール紙モード側にすると、切替板１０は図示時計方向に回動し、これに形成した櫛歯部１９は大径ローラ１の溝に進入する。これとともに、ばね７の作用でコロ台６も時計方向に回動し、切替板１０裏面高摩擦部材２１とコロ３とに挟持されて位置を規制されていたロール紙先端部は、切替板１０の櫛歯部１９が大径ローラ１の溝内に嵌入するためコロ３と大径ローラ１によって挟持される状態になる。これとともに、切替板１０の下面と、ガイド８上面との間にロール紙通路２７が形成される。
【００２３】
同時に、切替部材３１に設けられた切替検知センサ３２によって切替完了信号が駆動手段３０に伝えられて大径ローラ１が駆動されてロール紙をセットするシーケンスが開始される。
【００２４】
ロール紙がセットされていない場合には、ロール紙通路２７が形成された後、ロール紙先端を進行させてセンサ１７の位置に持ち来たせば、該センサがオンして記録材セットシーケンスが開始される。
【００２５】
「図６」他の実施例を示す要部側面図である。同図において、前記実施例装置と対応する部位には同一の符号を付して示してあり、それらについての説明は省略する。
【００２６】
この装置においては、ロール紙が符号１１（ａ）、１１（ｂ）で示すように２個配置してあり、第１のロール紙１１（ａ）に対してコロ台（６ａ）、これに取着したコロ３（ａ）、切替板１０（ａ）、センサ１７（ａ）等からなる第１記録材処理手段が配設してある。これら各部の作用は前記「図４」、「図５」に示したものと同様である。
【００２７】
さらに、この装置にあっては、上記の第１の記録材処理手段のほかに、記録材の進行方向にみてこれよりも上流側に、ガイド８（ｂ）に揺動自在に支持された切替板１０（ａ）、ばね７（ｂ）によって反時計方向に変位されているコロ台６（ｂ）、これに取着したコロ３（ｂ）及びセンサ１７（ｂ）からなる第２のロール紙１１（ｂ）を処理するための処理手段が配設してある。この処理手段自体の作用は作用は既述のものと変りはない。
【００２８】
「図６」カット紙給紙モードの場合を示し、このとき各切替板１０（ａ）、１０（ｂ）はいずれも反時計方向に回動した位置にあって、カット紙通路２６が形成してある。
【００２９】
ロール紙給紙モードは、不図示の切替部材を所定位置に動かしていずれか一方の切替板を大径ローラ１に近接する方向に移動させることによってロール紙１１（ａ）用の通路２７（ａ）、またはロール紙１１（ｂ）用の通路２７（ｂ）が形成される。
【００３０】
カット紙  、ロール紙１１（ａ）、１１（ｂ）の、以後の記録材搬送シーケンスが前述の実施例装置の場合と同様に遂行できることは直ちに理解できるところであろう。
【００３１】
【発明の効果】
以上説明したように、大径の駆動ローラと、これに当接するコロの間に記録材を挟持搬送する画像形成装置の給紙装置において、大径ローラに当接するカット紙搬送用のコロと、ロール紙搬送用のコロとを選択的に大径ローラに当接させて、記録材通路の内、カット紙通路と、ロール紙通路のみを格別に形成し、大径ローラに沿って記録材を搬送する部位を共通とすることを可能としたから、複数種の記録材を、構成が簡単で、且つ小型、低コストの画像形成装置用の給紙装置を提供することができる。
【００３２】
さらに、ロール紙用の通路を形成する部材が、待機時にはロール紙先端縁を強固に保持するので、再度その記録材を使用するに当たって、その都度、記録材の斜行防止に特段の注意を払う必要がなく、作業性の向上にも顕著な効果がある。
【図面の簡単な説明】
【図１】  本発明を適用したプロッタの要部斜視図
【図２】  同上記録材給送部位の構成を示す側面図
【図３】  同上記録材搬送用大径ローラとこれに当接するロール紙用コロの関係配置を示す要部斜視図
【図４】  同上給紙部位のカット紙搬送モードを示す側面図
【図５】  同上給紙部位のロール紙搬送モードを示す側面図
【図６】  本発明の他の実施例を示す要部側面図
【図７】  公知の、単一の給紙通路をそなえた給紙装置の要部側面図
【図８】  公知の、カット紙とロール紙とを選択的に搬送し得る給紙装置の要部側面図。
【符号の説明】
１                大径ローラ
２                カット紙搬送用のコロ
３                ロール紙搬送用のコロ
４                コロホルダ
５                ばね
６                コロ台
７                ばね
８、９            ガイド
１０              切替板
１１              ロール紙
１４              画像形成ユニット
１５、１６、１７      センサ
１８              溝
１９              櫛歯部
２０              高摩擦部材
２２              カット紙
２６              カット紙通路
２７              ロール紙通路
３０              駆動手段
３１              切替手段
【図１】
0003707703.tif 000002
【図２】
0003707703.tif 000003
【図３】
0003707703.tif 000004
【図４】
0003707703.tif 000005
【図５】
0003707703.tif 000006
【図６】
0003707703.tif 000007
【図７】
0003707703.tif 000008
【図８】
0003707703.tif 000009